(57)【要約】【課題】列車の車両において定期券の利用有無にかかわらず乗客と降車駅情報を関連付けて報知することを図る。【解決手段】降車駅情報登録装置は登録乗客属性情報と降車駅情報と降車駅情報登録装置の登録装置識別情報とを関連付けて降車駅情報配信装置へ送信し、降車駅情報配信装置は、端末装置から受信した登録装置識別情報に関連付けられた登録乗客属性情報及び降車駅情報を端末装置へ送信し、端末装置は、降車駅情報配信装置から受信した登録乗客属性情報に基づいて登録乗客認識処理を実行し、登録乗客認識処理の実行結果及び降車駅情報を関連付けて報知する。【選択図】図１
2020201643.tif 000002
【特許請求の範囲】
【請求項１】
降車駅情報登録装置と降車駅情報配信装置と端末装置とを備え、
前記降車駅情報登録装置は、
列車の車両に乗車した登録乗客の登録乗客属性情報と、前記登録乗客の降車駅情報と、前記降車駅情報登録装置の登録装置識別情報とを関連付けて前記降車駅情報配信装置へ送信する登録乗客情報送信部を備え、
前記降車駅情報配信装置は、
前記降車駅情報登録装置から受信した前記登録乗客属性情報、前記降車駅情報及び前記登録装置識別情報を関連付けて格納する乗客登録情報格納部と、
前記端末装置から受信した降車駅情報要求メッセージに応じて、当該降車駅情報要求メッセージに含まれる登録装置識別情報に関連付けられた前記登録乗客属性情報及び前記降車駅情報を前記端末装置へ送信する乗客登録情報送信部と、を備え、
前記端末装置は、
前記降車駅情報登録装置の登録装置識別情報を取得する登録装置識別情報取得部と、
前記登録装置識別情報取得部が取得した前記登録装置識別情報を含む降車駅情報要求メッセージを前記降車駅情報配信装置へ送信する乗客登録情報要求部と、
前記降車駅情報配信装置から受信した前記登録乗客属性情報に基づいて、前記登録乗客を認識するための登録乗客認識処理を実行する登録乗客認識部と、
前記登録乗客認識処理の実行結果及び前記降車駅情報配信装置から受信した前記降車駅情報を関連付けて報知する登録乗客情報報知部と、を備える、
降車駅情報提供システム。
【請求項２】
前記登録乗客が前記列車の車両において座席に着座しているか否かを判定する着座判定部をさらに備え、
前記登録乗客情報報知部は、前記着座判定部により着座していると判定された前記登録乗客のみを前記報知の対象にする、
請求項１に記載の降車駅情報提供システム。
【請求項３】
前記端末装置は、撮像部を備え、
前記登録乗客認識部は、前記撮像部が撮像した撮像画像において、前記登録乗客属性情報に含まれる前記登録乗客の個人の特徴に基づいたマッチングを行う、
請求項１又は２のいずれか１項に記載の降車駅情報提供システム。
【請求項４】
前記降車駅情報登録装置は第１近距離無線通信部を備え、
前記端末装置は、前記第１近距離無線通信部に接続する第２近距離無線通信部を備え、
前記登録装置識別情報取得部は、前記第２近距離無線通信部が接続した前記第１近距離無線通信部を介して前記降車駅情報登録装置の登録装置識別情報を取得する、
請求項１から３のいずれか１項に記載の降車駅情報提供システム。
【請求項５】
前記降車駅情報登録装置は前記登録乗客に携帯される装置であり、
前記端末装置は、前記第２近距離無線通信部の無線出力を制御する無線出力制御部を備え、
前記無線出力制御部は、前記第２近距離無線通信部の無線出力を、前記列車の車両において前記端末装置を携帯する乗客が他の乗客を視認することができる範囲内に前記第２近距離無線通信部の通信可能範囲を制限する値に制御する、
請求項４に記載の降車駅情報提供システム。
【請求項６】
前記無線出力制御部は、前記第２近距離無線通信部の無線出力を段階的に低下させる、
請求項５に記載の降車駅情報提供システム。
【請求項７】
前記登録乗客認識部は、前記第２近距離無線通信部が検出した前記第１近距離無線通信部が発信した電波の受信強度の変化に基づいて、前記登録乗客が存在する方向を判断する、
請求項５又は６のいずれか１項に記載の降車駅情報提供システム。
【請求項８】
前記端末装置は、撮像部を備え、
前記登録乗客情報報知部は、前記撮像部が撮像した撮像画像に前記登録乗客認識処理の実行結果及び前記降車駅情報配信装置から受信した前記降車駅情報を重ね合わせて表示する、
請求項１に記載の降車駅情報提供システム。
【請求項９】
降車駅情報登録装置と降車駅情報配信装置と端末装置とを備える降車駅情報提供システムの降車駅情報提供方法であって、
前記降車駅情報登録装置が、列車の車両に乗車した登録乗客の登録乗客属性情報と、前記登録乗客の降車駅情報と、前記降車駅情報登録装置の登録装置識別情報とを関連付けて前記降車駅情報配信装置へ送信する登録乗客情報送信ステップと、
前記降車駅情報配信装置が、前記降車駅情報登録装置から受信した前記登録乗客属性情報、前記降車駅情報及び前記登録装置識別情報を関連付けて乗客登録情報格納部に格納する乗客登録情報格納ステップと、
前記端末装置が、前記降車駅情報登録装置の登録装置識別情報を取得する登録装置識別情報取得ステップと、
前記端末装置が、前記登録装置識別情報取得ステップが取得した前記登録装置識別情報を含む降車駅情報要求メッセージを前記降車駅情報配信装置へ送信する乗客登録情報要求ステップと、
前記降車駅情報配信装置が、前記端末装置から受信した降車駅情報要求メッセージに応じて、当該降車駅情報要求メッセージに含まれる登録装置識別情報に関連付けられた前記登録乗客属性情報及び前記降車駅情報を前記端末装置へ送信する乗客登録情報送信ステップと、
前記端末装置が、前記降車駅情報配信装置から受信した前記登録乗客属性情報に基づいて、前記登録乗客を認識するための登録乗客認識処理を実行する登録乗客認識ステップと、
前記端末装置が、前記登録乗客認識処理の実行結果及び前記降車駅情報配信装置から受信した前記降車駅情報を関連付けて報知する登録乗客情報報知ステップと、
を含む降車駅情報提供方法。
【発明の詳細な説明】
【技術分野】
【０００１】
本発明は、降車駅情報提供システム及び降車駅情報提供方法に関する。
【背景技術】
【０００２】
従来、列車の車両内の座席に着座する乗客の降車駅情報を他の乗客に発信する情報提供技術が例えば特許文献１に記載されている。特許文献１に記載された従来技術では、乗客の情報端末に記憶された定期券情報を読み取る定期券情報読取手段を座席ごとに設け、定期券情報読取手段が読み取った定期券情報から降車駅情報を取得して座席情報と関連付けて列車内に無線で発信する。
【先行技術文献】
【特許文献】
【０００３】
【特許文献１】特開２００９−５４０２４号公報
【発明の概要】
【発明が解決しようとする課題】
【０００４】
しかし、上述した従来技術では、定期券を利用しない乗客の降車駅情報を他の乗客に発信することができない。また、座席ごとに定期券情報読取手段を設ける必要がある。
【０００５】
本発明は、このような事情を考慮してなされたものであり、その目的は、列車の車両において定期券の利用有無にかかわらず乗客と降車駅情報を関連付けて報知することを図ることにある。
【課題を解決するための手段】
【０００６】
（１）本発明の一態様は、降車駅情報登録装置と降車駅情報配信装置と端末装置とを備え、前記降車駅情報登録装置は、列車の車両に乗車した登録乗客の登録乗客属性情報と、前記登録乗客の降車駅情報と、前記降車駅情報登録装置の登録装置識別情報とを関連付けて前記降車駅情報配信装置へ送信する登録乗客情報送信部を備え、前記降車駅情報配信装置は、前記降車駅情報登録装置から受信した前記登録乗客属性情報、前記降車駅情報及び前記登録装置識別情報を関連付けて格納する乗客登録情報格納部と、前記端末装置から受信した降車駅情報要求メッセージに応じて、当該降車駅情報要求メッセージに含まれる登録装置識別情報に関連付けられた前記登録乗客属性情報及び前記降車駅情報を前記端末装置へ送信する乗客登録情報送信部と、を備え、前記端末装置は、前記降車駅情報登録装置の登録装置識別情報を取得する登録装置識別情報取得部と、前記登録装置識別情報取得部が取得した前記登録装置識別情報を含む降車駅情報要求メッセージを前記降車駅情報配信装置へ送信する乗客登録情報要求部と、前記降車駅情報配信装置から受信した前記登録乗客属性情報に基づいて、前記登録乗客を認識するための登録乗客認識処理を実行する登録乗客認識部と、前記登録乗客認識処理の実行結果及び前記降車駅情報配信装置から受信した前記降車駅情報を関連付けて報知する登録乗客情報報知部と、を備える、降車駅情報提供システムである。
（２）本発明の一態様は、前記登録乗客が前記列車の車両において座席に着座しているか否かを判定する着座判定部をさらに備え、前記登録乗客情報報知部は、前記着座判定部により着座していると判定された前記登録乗客のみを前記報知の対象にする、上記（１）の降車駅情報提供システムである。
（３）本発明の一態様は、前記端末装置は、撮像部を備え、前記登録乗客認識部は、前記撮像部が撮像した撮像画像において、前記登録乗客属性情報に含まれる前記登録乗客の個人の特徴に基づいたマッチングを行う、上記（１）又は（２）のいずれかの降車駅情報提供システムである。
（４）本発明の一態様は、前記降車駅情報登録装置は第１近距離無線通信部を備え、前記端末装置は、前記第１近距離無線通信部に接続する第２近距離無線通信部を備え、前記登録装置識別情報取得部は、前記第２近距離無線通信部が接続した前記第１近距離無線通信部を介して前記降車駅情報登録装置の登録装置識別情報を取得する、上記（１）から（３）のいずれかの降車駅情報提供システムである。
（５）本発明の一態様は、前記降車駅情報登録装置は前記登録乗客に携帯される装置であり、前記端末装置は、前記第２近距離無線通信部の無線出力を制御する無線出力制御部を備え、前記無線出力制御部は、前記第２近距離無線通信部の無線出力を、前記列車の車両において前記端末装置を携帯する乗客が他の乗客を視認することができる範囲内に前記第２近距離無線通信部の通信可能範囲を制限する値に制御する、上記（４）の降車駅情報提供システムである。
（６）本発明の一態様は、前記無線出力制御部は、前記第２近距離無線通信部の無線出力を段階的に低下させる、上記（５）の降車駅情報提供システムである。
（７）本発明の一態様は、前記登録乗客認識部は、前記第２近距離無線通信部が検出した前記第１近距離無線通信部が発信した電波の受信強度の変化に基づいて、前記登録乗客が存在する方向を判断する、上記（５）又は（６）のいずれかの降車駅情報提供システムである。
（８）本発明の一態様は、前記端末装置は、撮像部を備え、前記登録乗客情報報知部は、前記撮像部が撮像した撮像画像に前記登録乗客認識処理の実行結果及び前記降車駅情報配信装置から受信した前記降車駅情報を重ね合わせて表示する、上記（１）に記載の降車駅情報提供システムである。
【０００７】
（９）本発明の一態様は、降車駅情報登録装置と降車駅情報配信装置と端末装置とを備える降車駅情報提供システムの降車駅情報提供方法であって、前記降車駅情報登録装置が、列車の車両に乗車した登録乗客の登録乗客属性情報と、前記登録乗客の降車駅情報と、前記降車駅情報登録装置の登録装置識別情報とを関連付けて前記降車駅情報配信装置へ送信する登録乗客情報送信ステップと、前記降車駅情報配信装置が、前記降車駅情報登録装置から受信した前記登録乗客属性情報、前記降車駅情報及び前記登録装置識別情報を関連付けて乗客登録情報格納部に格納する乗客登録情報格納ステップと、前記端末装置が、前記降車駅情報登録装置の登録装置識別情報を取得する登録装置識別情報取得ステップと、前記端末装置が、前記登録装置識別情報取得ステップが取得した前記登録装置識別情報を含む降車駅情報要求メッセージを前記降車駅情報配信装置へ送信する乗客登録情報要求ステップと、前記降車駅情報配信装置が、前記端末装置から受信した降車駅情報要求メッセージに応じて、当該降車駅情報要求メッセージに含まれる登録装置識別情報に関連付けられた前記登録乗客属性情報及び前記降車駅情報を前記端末装置へ送信する乗客登録情報送信ステップと、前記端末装置が、前記降車駅情報配信装置から受信した前記登録乗客属性情報に基づいて、前記登録乗客を認識するための登録乗客認識処理を実行する登録乗客認識ステップと、前記端末装置が、前記登録乗客認識処理の実行結果及び前記降車駅情報配信装置から受信した前記降車駅情報を関連付けて報知する登録乗客情報報知ステップと、を含む降車駅情報提供方法である。
【発明の効果】
【０００８】
本発明によれば、列車の車両において定期券の利用有無にかかわらず乗客と降車駅情報を関連付けて報知することができるという効果が得られる。
【図面の簡単な説明】
【０００９】
【図１】一実施形態に係る降車駅情報提供システムの構成例を示すブロック図である。
【図２】一実施形態に係る乗客登録情報格納部の構成例を示す図である。
【図３】一実施形態に係る降車駅情報提供方法の手順の例を示すフローチャートである。
【図４】一実施形態に係る降車駅情報提供方法の手順の例を示すフローチャートである。
【図５】一実施形態に係る降車駅情報提供方法の手順の例を示すフローチャートである。
【発明を実施するための形態】
【００１０】
以下、図面を参照し、本発明の実施形態について説明する。
図１は、一実施形態に係る降車駅情報提供システムの構成例を示すブロック図である。図１に示される降車駅情報提供システムは、降車駅情報登録装置１００と降車駅情報配信装置２００と端末装置３００とを備える。
【００１１】
［降車駅情報登録装置］
降車駅情報登録装置１００は、列車の車両内に存在する装置である。降車駅情報登録装置１００は、列車の車両に乗車した降車駅情報登録対象の乗客（以下、登録乗客と称する）の属性情報（以下、登録乗客属性情報と称する）と、当該登録乗客が当該列車から降りる予定の駅を示す降車駅情報と、当該降車駅情報登録装置１００の識別情報（以下、登録装置識別情報（登録装置ＩＤ）と称する）とを降車駅情報配信装置２００へ登録する。
【００１２】
降車駅情報登録装置１００は、セルラ通信部１０１と情報入力部１０２と着座判定用データ測定部１０３と登録乗客情報送信部１０４と近距離無線通信部１０５と登録装置ＩＤ格納部１０６とを備える。降車駅情報登録装置１００は、例えば登録乗客が携帯するスマートフォンやタブレット型のコンピュータ（タブレットＰＣ）等の携帯通信端末装置であってもよい。降車駅情報登録装置１００の各機能は、例えば携帯通信端末装置が備えるＣＰＵ（Central Processing Unit：中央演算処理装置）がコンピュータプログラムを実行することにより実現される。
【００１３】
セルラ通信部１０１は、移動通信ネットワークを介して通信を行う。移動通信ネットワークは、例えばＬＴＥ（Long Term Evolution）やＷｉＭＡＸ（Worldwide Interoperability for Microwave Access）（登録商標）等の無線通信方式のものである。降車駅情報登録装置１００は、セルラ通信部１０１により降車駅情報配信装置２００と通信を行う。
【００１４】
情報入力部１０２は、登録乗客の入力操作によって登録乗客属性情報の入力を受付ける。登録乗客属性情報は、登録乗客の個人情報を含む情報である。登録乗客の個人情報は、当該登録乗客の個人の特徴を表す情報であって、例えば、年齢、性別、身長などである。
【００１５】
また、情報入力部１０２は、登録乗客の入力操作によって降車駅情報の入力を受付ける。降車駅情報は、１回の乗車についてのものであってもよく、又は、複数回の乗車についてのものであってもよい。降車駅情報は、例えば、定期券の有効期間及び降車駅の情報であってもよい。
【００１６】
着座判定用データ測定部１０３は、登録乗客が列車の車両において座席に着座しているか否かを判定する着座判定処理に使用される着座判定用データを測定する。本実施形態に係る一例として、着座判定用データは、登録乗客が携帯する端末が備える加速度センサが検知した加速度データである。
【００１７】
登録装置ＩＤ格納部１０６は、自己の降車駅情報登録装置１００の登録装置ＩＤを格納する。
登録乗客情報送信部１０４は、列車の車両に乗車した登録乗客の登録乗客属性情報と、当該登録乗客の降車駅情報と、自己の降車駅情報登録装置１００の登録装置ＩＤとを関連付けて降車駅情報配信装置２００へセルラ通信部１０１により送信する。また、登録乗客情報送信部１０４は、着座判定用データ測定部１０３が測定した着座判定用データを降車駅情報配信装置２００へセルラ通信部１０１により送信する。
近距離無線通信部１０５（第１近距離無線通信部）は、近距離無線通信を行う。
【００１８】
［降車駅情報配信装置］
降車駅情報配信装置２００は、移動通信ネットワークを介してアクセスすることができる通信ネットワークに接続される装置である。降車駅情報配信装置２００は、通信部２０１と乗客登録情報格納部２０２と乗客登録情報送信部２０３と着座判定部２０４とを備える。降車駅情報配信装置２００の各機能は、降車駅情報配信装置２００が備えるＣＰＵがコンピュータプログラムを実行することにより実現される。なお、降車駅情報配信装置２００として、汎用のコンピュータ装置を使用して構成してもよく、又は、専用のハードウェア装置として構成してもよい。例えば、降車駅情報配信装置２００は、インターネット等の通信ネットワークに接続されるサーバコンピュータを使用して構成される。
【００１９】
通信部２０１は、通信ネットワークを介して通信を行う。降車駅情報配信装置２００は、通信部２０１により、降車駅情報登録装置１００及び端末装置３００と通信を行う。
【００２０】
乗客登録情報格納部２０２は、降車駅情報登録装置１００から受信した登録乗客属性情報、降車駅情報及び登録装置ＩＤを関連付けて格納する。図２は、乗客登録情報格納部の構成例を示す図である。図２に示されるように、乗客登録情報格納部２０２は、登録乗客のユーザ識別情報（ユーザＩＤ）と降車駅情報と登録装置ＩＤとを関連付けて格納する。また、図２の例では、登録乗客が着座しているか否かの着座判定結果「着座有り（有り）」又は「着座無し（無し）」がさらに関連付けて格納される。
【００２１】
乗客登録情報送信部２０３は、端末装置３００から受信した降車駅情報要求メッセージに応じて、当該降車駅情報要求メッセージに含まれる登録装置ＩＤに関連付けられた登録乗客属性情報及び降車駅情報を乗客登録情報格納部２０２から取得し、当該取得した登録乗客属性情報及び降車駅情報を当該端末装置３００へ通信部２０１により送信する。
【００２２】
着座判定部２０４は、降車駅情報登録装置１００から受信した着座判定用データを使用して、着座判定処理を実行する。着座判定処理は、登録乗客が列車の車両において座席に着座しているか否かを判定する処理である。着座判定処理の例１，例２を以下に示す。
【００２３】
（着座判定処理の例１）
着座判定処理の例１では、着座判定部２０４は、同じ列車の同じ車両に乗車している複数の登録乗客が携帯する各端末で検知された複数の加速度データを使用して、立っている登録乗客と着座している登録乗客とを判別し、各登録乗客が座席に着座しているか否かを判定する。これは、立っている乗客と着座している乗客とでは揺れ方が異なるので、その揺れ方の違いを加速度で判別することにより、立っている乗客と着座している乗客とを判別するものである。降車駅情報登録装置１００は、着座判定用データと共に列車番号及び車両番号を降車駅情報配信装置２００へセルラ通信部１０１により送信する。
【００２４】
（着座判定処理の例２）
着座判定処理の例２では、着座判定部２０４は、着座判定対象の登録乗客が携帯する端末で検知された加速度データと、予め設定された着座判定値とを比較し、当該比較の結果に基づいて当該登録乗客が座席に着座しているか否かを判定する。なお、着座判定処理の例２の場合、降車駅情報登録装置１００が着座判定部２０４を備え、着座判定結果「着座有り（有り）」又は「着座無し（無し）」を降車駅情報登録装置１００から降車駅情報配信装置２００へ通知してもよい。
【００２５】
着座判定部２０４による着座判定処理の着座判定結果「着座有り（有り）」又は「着座無し（無し）」は、図２に示されるように、乗客登録情報格納部２０２に格納される。
【００２６】
［端末装置］
端末装置３００は、列車に乗車する乗客に携帯される端末装置である。端末装置３００は、セルラ通信部３０１と乗客登録情報要求部３０２と撮像部３０４と登録乗客認識部３０５と登録乗客情報報知部３０６と近距離無線通信部３０７と無線出力制御部３０８とを備える。近距離無線通信部３０７は登録装置ＩＤ取得部に対応する。端末装置３００は、例えばスマートフォンやタブレットＰＣ等の携帯通信端末装置であってもよい。端末装置３００の各機能は、例えば携帯通信端末装置が備えるＣＰＵがコンピュータプログラムを実行することにより実現される。
【００２７】
セルラ通信部３０１は、移動通信ネットワークを介して通信を行う。端末装置３００は、セルラ通信部３０１により降車駅情報配信装置２００と通信を行う。
【００２８】
乗客登録情報要求部３０２は、乗客の乗客登録情報要求操作に応じて、降車駅情報要求メッセージを降車駅情報配信装置２００へセルラ通信部３０１により送信する。降車駅情報要求メッセージは、近距離無線通信部３０７が取得した降車駅情報登録装置１００の登録装置ＩＤを含むメッセージである。
【００２９】
近距離無線通信部３０７（第２近距離無線通信部）は、近距離無線通信を行う。近距離無線通信部３０７は、降車駅情報登録装置１００の近距離無線通信部１０５に接続し、当該近距離無線通信部１０５を介して当該降車駅情報登録装置１００の登録装置ＩＤを取得する。
【００３０】
撮像部３０４は、撮像した撮像画像を出力する。
【００３１】
登録乗客認識部３０５は、降車駅情報配信装置２００から受信した登録乗客属性情報に基づいて、登録乗客を認識するための登録乗客認識処理を実行する。
【００３２】
登録乗客情報報知部３０６は、登録乗客認識部３０５による登録乗客認識処理の実行結果及び降車駅情報配信装置２００から受信した降車駅情報を関連付けて報知する。
【００３３】
無線出力制御部３０８は、近距離無線通信部３０７の無線出力を制御する。
【００３４】
次に図３、図４及び図５を参照して本実施形態に係る降車駅情報提供方法を説明する。図３、図４及び図５は、本実施形態に係る降車駅情報提供方法の手順の例を示すフローチャートである。
【００３５】
まず図３を参照して降車駅情報登録装置１００の動作を説明する。
【００３６】
（ステップＳ１）  情報入力部１０２は、登録乗客の入力操作により登録乗客属性情報及び降車駅情報の入力を受付ける。情報入力部１０２は、当該入力された登録乗客属性情報及び降車駅情報を登録乗客情報送信部１０４へ渡す。
【００３７】
（ステップＳ２）  登録乗客情報送信部１０４は、登録装置ＩＤ格納部１０６から自己の降車駅情報登録装置１００の登録装置ＩＤを取得する。登録乗客情報送信部１０４は、情報入力部１０２から受け取った登録乗客属性情報及び降車駅情報と、登録装置ＩＤ格納部１０６から取得した登録装置ＩＤとを関連付けて降車駅情報配信装置２００へセルラ通信部１０１により送信する。
【００３８】
次に図４を参照して降車駅情報配信装置２００の動作を説明する。
【００３９】
（ステップＳ１１）  降車駅情報配信装置２００は、通信部２０１により、降車駅情報登録装置１００から登録乗客属性情報と降車駅情報と登録装置ＩＤとを受信する。
【００４０】
（ステップＳ１２）  乗客登録情報格納部２０２は、降車駅情報登録装置１００から受信した登録乗客属性情報、降車駅情報及び登録装置ＩＤを関連付けて、図２に例示されるように格納する。乗客登録情報格納部２０２は、降車駅情報登録装置１００から受信した登録乗客属性情報、降車駅情報及び登録装置ＩＤを格納する時にユーザＩＤを割り当てる。
【００４１】
（ステップＳ１３）  降車駅情報配信装置２００は、通信部２０１により、端末装置３００から登録装置ＩＤを含む降車駅情報要求メッセージを受信する。
【００４２】
（ステップＳ１４）  乗客登録情報送信部２０３は、端末装置３００から受信した降車駅情報要求メッセージに応じて、当該降車駅情報要求メッセージに含まれる登録装置ＩＤに関連付けられた登録乗客属性情報及び降車駅情報を乗客登録情報格納部２０２から取得する。乗客登録情報送信部２０３は、当該取得した登録乗客属性情報及び降車駅情報を含む応答メッセージを当該端末装置３００へ送信する。
【００４３】
次に図５を参照して端末装置３００の動作を説明する。
【００４４】
（ステップＳ２０）  端末装置３００の近距離無線通信部３０７は、降車駅情報登録装置１００の近距離無線通信部１０５に接続する。近距離無線通信部３０７は、当該接続した近距離無線通信部１０５を介して当該降車駅情報登録装置１００の登録装置ＩＤを取得する。このとき、降車駅情報登録装置１００の近距離無線通信部１０５は、登録装置ＩＤ格納部１０６から取得した登録装置ＩＤを端末装置３００の近距離無線通信部３０７へ送信する。近距離無線通信部３０７は、当該取得した登録装置ＩＤを乗客登録情報要求部３０２へ通知する。
【００４５】
（ステップＳ２１）  乗客登録情報要求部３０２は、乗客の乗客登録情報要求操作に応じて、降車駅情報要求メッセージを降車駅情報配信装置２００へセルラ通信部３０１により送信する。当該降車駅情報要求メッセージは、近距離無線通信部３０７が取得した降車駅情報登録装置１００の登録装置ＩＤを含むメッセージである。
【００４６】
（ステップＳ２２）  端末装置３００は、セルラ通信部３０１により、降車駅情報配信装置２００から、登録乗客属性情報及び降車駅情報を含む応答メッセージを受信する。
【００４７】
（ステップＳ２３）  登録乗客認識部３０５は、降車駅情報配信装置２００から受信した応答メッセージに含まれる登録乗客属性情報に基づいて、登録乗客を認識するための登録乗客認識処理を実行する。
【００４８】
（ステップＳ２４）  登録乗客情報報知部３０６は、登録乗客認識部３０５による登録乗客認識処理の実行結果（例えば、登録乗客の認識結果）及び降車駅情報配信装置２００から受信した降車駅情報を関連付けて報知する。
【００４９】
なお、近距離無線通信部３０７は、複数の降車駅情報登録装置１００の近距離無線通信部１０５にそれぞれ接続して当該複数の降車駅情報登録装置１００の登録装置ＩＤを取得してもよい。乗客登録情報要求部３０２は、近距離無線通信部３０７が取得した複数の降車駅情報登録装置１００の登録装置ＩＤを、それぞれ別個の降車駅情報要求メッセージに含めてもよく、又は、一つの降車駅情報要求メッセージにまとめて含めてもよい。降車駅情報配信装置２００の乗客登録情報送信部２０３は、端末装置３００から受信した一つの降車駅情報要求メッセージに複数の登録装置ＩＤが含められている場合、当該複数の登録装置ＩＤについて各登録装置ＩＤに関連付けられた登録乗客属性情報及び降車駅情報を乗客登録情報格納部２０２から取得し、取得した複数の登録乗客属性情報及び降車駅情報の組を含む応答メッセージを当該端末装置３００へ送信する。
【００５０】
次に本実施形態に係る登録乗客認識方法の例を説明する。
登録乗客認識部３０５は、降車駅情報配信装置２００から受信した応答メッセージに含まれる登録乗客属性情報に基づいて、登録乗客を認識するための登録乗客認識処理を実行する。以下、登録乗客認識処理の方法（登録乗客認識方法）についていくつかの例を挙げて説明する。
【００５１】
［登録乗客認識方法の例１］
登録乗客認識方法の例１では、撮像部３０４が撮像した撮像画像において、登録乗客属性情報に含まれる登録乗客の個人の特徴に基づいたマッチングを行うことにより、登録乗客を認識する。撮像部３０４は、列車の車両内において端末装置３００の周辺を撮像する。登録乗客認識部３０５は、撮像部３０４が撮像した撮像画像において、登録乗客属性情報に含まれる登録乗客の個人の特徴に基づいたマッチングを行う。例えば、登録乗客認識部３０５は、撮像部３０４が撮像した撮像画像に対して、登録乗客属性情報が示す年齢、性別、身長などの登録乗客の個人の特徴に類似する人物像に合致する被写体が存在するか否かを画像認識により判断する。登録乗客情報報知部３０６は、登録乗客認識部３０５によるマッチングが成功した場合にその旨を、当該登録乗客の降車駅情報と共に報知する。例えば、登録乗客情報報知部３０６は、端末装置３００の画面表示、音声やアラーム音の再生又は振動発生などによって当該マッチングの成功を報知すると共に、当該登録乗客の降車駅情報を端末装置３００の画面表示や音声再生により報知する。これにより、端末装置３００を携帯する乗客が、登録乗客及び当該登録乗客が降りる予定の駅を容易に認識することができる効果が得られる。
【００５２】
［登録乗客認識方法の例２］
登録乗客認識方法の例２では、近距離無線通信部３０７が降車駅情報登録装置１００の近距離無線通信部１０５に接続する動作における通信接続状況に基づいて、登録乗客を認識する対象の認識範囲を決定する。近距離無線通信部３０７は、降車駅情報登録装置１００の近距離無線通信部１０５に接続することが成功すると、当該通信接続の成功を登録乗客認識部３０５へ通知する。また、近距離無線通信部３０７は、降車駅情報登録装置１００の近距離無線通信部１０５との通信接続が断すると、当該通信接続の断を登録乗客認識部３０５へ通知する。登録乗客認識部３０５は、近距離無線通信部３０７から通知された通信接続状況「通信接続の成功」及び「通信接続の断」に基づいて、登録乗客を認識する対象の認識範囲を決定する。具体的には、「通信接続の成功」が通知された端末装置３００の位置から「通信接続の断」が通知された端末装置３００の位置までの範囲を登録乗客を認識する対象の認識範囲に決定する。登録乗客情報報知部３０６は、端末装置３００が登録乗客を認識する対象の認識範囲内に存在する場合にその旨を報知する。例えば、登録乗客情報報知部３０６は、端末装置３００の画面表示、音声やアラーム音の再生又は振動発生などによって当該認識範囲内に存在することを報知する。これにより、端末装置３００を携帯する乗客は、登録乗客をやみくもに探す場合に比して効率的に登録乗客を探すことができる。
【００５３】
なお、登録乗客認識方法の例１に登録乗客認識方法の例２を適用し、登録乗客認識部３０５は、登録乗客を認識する対象の認識範囲内で撮像部３０４が撮像した撮像画像において、登録乗客属性情報に含まれる登録乗客の個人の特徴に基づいたマッチングを行ってもよい。
【００５４】
［登録乗客認識方法の例３］
登録乗客認識方法の例３では、上記した登録乗客認識方法の例２において、近距離無線通信部３０７の無線出力を、列車の車両において端末装置３００を携帯する乗客が他の乗客を視認することができる範囲内に近距離無線通信部３０７の通信可能範囲を制限する値（以下、無線出力制限値と称する）に制御する。無線出力制御部３０８は、近距離無線通信部３０７の無線出力を、無線出力制限値に制御する。無線出力制限値は、予め端末装置３００に設定される。これにより、列車の車両において端末装置３００を携帯する乗客が登録乗客を視認することができる範囲内に存在する場合には、近距離無線通信部３０７と降車駅情報登録装置１００の近距離無線通信部１０５との接続が成功するが、当該乗客が当該範囲外に存在する場合には近距離無線通信部３０７と降車駅情報登録装置１００の近距離無線通信部１０５との接続が成功しない。したがって、登録乗客認識部３０５が登録乗客を認識する対象の認識範囲が、列車の車両において端末装置３００を携帯する乗客が登録乗客を視認することができる範囲内に限定される。これにより、端末装置３００を携帯する乗客が登録乗客を容易に視認することができる。
【００５５】
なお、無線出力制限値に上限値及び下限値を設け、無線出力制御部３０８は、無線出力制限値の上限値から下限値までの範囲内で、近距離無線通信部３０７の無線出力を変化させてもよい。例えば、無線出力制御部３０８は、無線出力制限値の上限値から下限値まで段階的に、近距離無線通信部３０７の無線出力を低下させる。これにより、端末装置３００を携帯する乗客を登録乗客の位置へ誘導することができる。
【００５６】
また、登録乗客認識部３０５は、近距離無線通信部３０７が検出した降車駅情報登録装置１００の近距離無線通信部１０５が発信した電波の受信強度の変化に基づいて、登録乗客が存在する方向を判断してもよい。登録乗客情報報知部３０６は、登録乗客認識部３０５が判断した登録乗客が存在する方向を報知する。例えば、登録乗客情報報知部３０６は、端末装置３００の画面表示又は音声の再生などによって登録乗客が存在する方向を報知する。これにより、端末装置３００を携帯する乗客は、登録乗客が列車の車両内の前方に存在するのか又は後方に存在するのかを認識して効率的に登録乗客を探すことができる。
【００５７】
また、登録乗客認識方法の例１に登録乗客認識方法の例３を適用し、登録乗客認識部３０５は、無線出力制御部３０８が近距離無線通信部３０７の無線出力を無線出力制限値に制御し且つ登録乗客を認識する対象の認識範囲内において撮像部３０４が撮像した撮像画像において、登録乗客属性情報に含まれる登録乗客の個人の特徴に基づいたマッチングを行ってもよい。
【００５８】
［登録乗客認識方法の例４］
登録乗客認識方法の例４では、登録乗客情報報知部３０６は、撮像部３０４が撮像した撮像画像に登録乗客認識部３０５が認識した登録乗客の認識結果及び当該登録乗客の降車駅情報を重ね合わせて表示する。この重ね合わせには、ＡＲ（Augmented Reality：拡張現実）技術を適用してもよい。撮像部３０４が撮像した撮像画像に登録乗客認識部３０５が認識した登録乗客の認識結果及び当該登録乗客の降車駅情報をＡＲ技術により重ね合わせて表示することによって、端末装置３００を携帯する乗客は、実際の車両内の映像を見ながら登録乗客を容易に探すことができると共に、当該登録乗客が降りる予定の駅を容易に認識することができる効果が得られる。
【００５９】
また、登録乗客認識方法の例１、例２又は例３に登録乗客認識方法の例４を適用してもよい。
【００６０】
次に本実施形態に係る降車駅情報報知方法の例を説明する。
【００６１】
［降車駅情報報知方法の例１］
降車駅情報報知方法の例１では、登録乗客が列車の車両において座席に着座しているか否かにかかわらず、全ての登録乗客を降車駅情報報知対象にする。したがって、登録乗客情報報知部３０６は、着座判定部２０４による着座判定処理の着座判定結果「着座有り（有り）」又は「着座無し（無し）」とは無関係に、登録乗客の降車駅情報を報知する。
【００６２】
［降車駅情報報知方法の例２］
降車駅情報報知方法の例２では、列車の車両において座席に着座している登録乗客のみを降車駅情報報知対象にする。したがって、登録乗客情報報知部３０６は、着座判定部２０４による着座判定処理の着座判定結果が「着座有り（有り）」である登録乗客の降車駅情報のみを報知する。降車駅情報配信装置２００は、登録乗客属性情報及び降車駅情報を含む応答メッセージに、該当する着座判定結果「着座有り（有り）」又は「着座無し（無し）」をさらに含めて端末装置３００へ送信する。登録乗客情報報知部３０６は、降車駅情報配信装置２００から受信した応答メッセージに含まれる着座判定結果が「着座有り（有り）」である場合にのみ、当該応答メッセージに含まれる降車駅情報を報知する。又は、降車駅情報配信装置２００は、着座判定結果が「着座有り（有り）」である降車駅情報を応答メッセージに含め、着座判定結果が「着座無し（無し）」である降車駅情報を応答メッセージに含めないようにしてもよい。降車駅情報報知方法の例２によれば、降車駅情報報知対象が列車の車両において座席に着座している登録乗客のみとなるので、当該車両において立っている他の乗客にとって、着座している登録乗客が降りる予定の駅を認識しやすくなり好都合となる効果が得られる。
【００６３】
上述した実施形態によれば、列車の車両において定期券の利用有無にかかわらず乗客（登録乗客）と降車駅情報を関連付けて報知することができるという効果が得られる。
【００６４】
以上、本発明の実施形態について図面を参照して詳述してきたが、具体的な構成はこの実施形態に限られるものではなく、本発明の要旨を逸脱しない範囲の設計変更等も含まれる。
【００６５】
上述した各装置の機能を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disc）等の可搬媒体、コンピュータシステムに内蔵されるハードディスク等の記憶装置のことをいう。
【００６６】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００６７】
１００…降車駅情報登録装置、１０１…セルラ通信部、１０２…情報入力部、１０３…着座判定用データ測定部、１０４…登録乗客情報送信部、１０５…近距離無線通信部、１０６…登録装置ＩＤ格納部、２００…降車駅情報配信装置、２０１…通信部、２０２…乗客登録情報格納部、２０３…乗客登録情報送信部、２０４…着座判定部、３００…端末装置、３０１…セルラ通信部、３０２…乗客登録情報要求部、３０４…撮像部、３０５…登録乗客認識部、３０６…登録乗客情報報知部、３０７…近距離無線通信部、３０８…無線出力制御部
【図１】
2020201643.tif 000003
【図２】
2020201643.tif 000004
【図３】
2020201643.tif 000005
【図４】
2020201643.tif 000006
【図５】
2020201643.tif 000007